(57)【特許請求の範囲】
【請求項１】
浴室の壁面に取り付けられる浴室照明装置であって、
円板状の基板と、
前記基板上に前記基板の中心から放射方向に配置された複数のＬＥＤチップと、
前記基板上に取り付けられ、前記複数のＬＥＤチップのうち少なくとも一のＬＥＤチップの近傍に設けられて当該ＬＥＤチップからの出射光を前記浴室の床方向に向けて反射させる反射片を有する金属製の反射器と、を備え、
前記反射器は、複数の反射片が金属板である前記反射器の主面に対して各所定の角度をなすように折り曲げられている
浴室照明装置。
【請求項２】
前記反射器は、前記反射片として、前記複数のＬＥＤチップのうち少なくとも一のＬＥＤチップの上方に設けられた上方反射片と、当該ＬＥＤチップの下方に設けられた下方反射片と、を有する請求項１に記載の浴室照明装置。
【請求項３】
前記反射器は、金属製のネジにより前記基板上に締結されている請求項１又は２に記載の浴室照明装置。
【請求項４】
前記複数のＬＥＤチップには、その近傍に前記反射片が設けられていないＬＥＤチップが含まれる請求項１から３の何れか１項に記載の浴室照明装置。
【発明の詳細な説明】
【技術分野】
【０００１】
本発明は、浴室照明装置に関する。
【背景技術】
【０００２】
浴室照明装置としてＬＥＤ（Ｌｉｇｈｔ  Ｅｍｉｔｔｉｎｇ  Ｄｉｏｄｅ）を光源に用いたものが普及しつつある。ＬＥＤは指向性が高いため、光を照射することができる範囲が比較的狭い。そのため、壁面にＬＥＤ照明器具を配置した場合には、ＬＥＤ照明器具の正面を主体的に照らすような配光となる。
【０００３】
ところで、浴室では、天井に乾燥暖房機が取り付けられたり、天井裏には換気用配管が通されたりするため、照明器具を天井に取り付けることは難しい。このような事情もあって、一般的には、浴室照明装置は洗い場の中央正面の壁面に取付けられる。
従って、従来のＬＥＤ式浴室照明では、洗い場で洗顔したり鏡を見るなどするに際して、照明器具の直下では暗いという問題があった。また照明器具の正面からＬＥＤ光が照射してくるためグレアが生じるなどの問題もある。
【０００４】
これを解決するために、浴室で利用者が多く向く側、即ち混合水栓やシャワー、浴室ミラーなどがある側とは反対側の壁面から照明光を照射させ、対向する壁面に設置した反射鏡で照射角度を変化させて、柔らかな間接照明を行うようにした浴室照明装置が提案されている（例えば、特許文献１参照）。
【０００５】
また、照明器具自体は壁面に沿って取り付け、そのグローブ内での光源（ランプ）を下向きに配置することによって、浴室の下側を照射領域とするような配光を得るようにした浴室照明装置も提案されている（例えば、特許文献２参照）。
【０００６】
また、グローブ内にレンズを配置して配光を調整し、広範囲照射が人の目に入って眩しくなることを防止したＬＥＤ照明装置が提案されている（例えば、特許文献３参照）。
【先行技術文献】
【特許文献】
【０００７】
【特許文献１】実開平４−１１０８６０号公報
【特許文献２】特開平７−２９６６３１号公報
【特許文献３】特開２００６−３０２５３８号公報
【発明の概要】
【発明が解決しようとする課題】
【０００８】
しかしながら、特許文献１の浴室照明装置では、反射鏡の浴室内への突出部分が多く、見栄えが悪かった。
また、特許文献２の浴室照明装置では、上部空間が極端に暗くなり、浴室の雰囲気や見栄えが悪かった。
また、特許文献３のＬＥＤ照明装置では、光学用の配光変更レンズが高額であるため、コストが嵩み過ぎて通常の浴室用途には適さなかった。
【０００９】
本発明は、上記事情に鑑みてなされたものであり、ＬＥＤを光源に適用しながら、見栄えを損なわずに、低コストで浴室に適した配光が得られる浴室照明装置を提供することを目的とする。
【課題を解決するための手段】
【００１０】
上記目的を達成するため、本発明の浴室照明装置は、浴室（例えば、後述の浴室１）の壁面（例えば、後述の壁面４ａ）に取り付けられる浴室照明装置（例えば、後述の浴室照明装置１０）であって、基板（例えば、後述の基板１１）と、前記基板上に配置された複数のＬＥＤチップ（例えば、後述のＬＥＤチップ１２）と、前記基板上に取り付けられ、前記複数のＬＥＤチップのうちの少なくとも一のＬＥＤチップ（例えば、後述のＬＥＤチップ１２ａ及び１２ｂを含む一部のもの）の近傍に設けられて当該ＬＥＤチップからの出射光を前記浴室の床方向（例えば、後述の洗い場３の方向）に向けて反射させる反射片（例えば、後述の反射片１４）を有する金属製の反射器（例えば、後述の反射器１５）と、を備えている。
【００１１】
前記反射器は、前記反射片として、前記ＬＥＤチップのうち少なくとも一のＬＥＤチップの上方に設けられた上方反射片（例えば、後述の第１群の反射片１４１、１４１；第４群の反射片１４４、１４４）と、当該ＬＥＤチップの下方に設けられた下方反射片（例えば、後述の第２群の反射片１４２、１４２；第３群の反射片１４３、１４３）と、を有することが好ましい。
【００１２】
また、前記反射器は、金属製のネジ（例えば、後述のネジ１５１ａ、１５１ｂ）により前記基板上に締結されていることが好ましい。
【００１３】
また、前記複数のＬＥＤチップには、その近傍に前記反射片が設けられていないＬＥＤチップが含まれることが好ましい。
【発明の効果】
【００１４】
本発明によれば、ＬＥＤを光源に適用しながら、見栄えを損なわずに、低コストで浴室に適した配光が得られる浴室照明装置を具現することができる。
【図面の簡単な説明】
【００１５】
【図１】本発明の一実施形態としての浴室照明装置を適用した浴室の様子を表す図である。
【図２】本発明の一実施形態としての浴室照明装置の分解斜視図である。
【図３】図２の浴室照明装置の反射器の加工過程の姿を表す図である。
【図４】図２の浴室照明装置における基板に反射器を取付けた状態を表す図である。
【図５】図４の反射器における反射片の作用を説明するための概念図である。
【図６】図２の浴室照明装置を適用した浴室の配光状況を表す図である。
【図７】図２の浴室照明装置における放熱作用を表す図である。
【発明を実施するための形態】
【００１６】
以下、図面を参照しながら本発明の実施形態について詳述することにより本発明を明らかにする。
図１は、本発明の一実施形態としての浴室照明装置を適用した浴室の様子を表す図である。
この浴室１内には浴槽２と洗い場３が設けられている。浴槽２を左手に、洗い場３を右手に見た視野での洗い場３の奥側正面の壁面４ａには、縦長状の鏡５が設けられ、鏡５の下方に混合水栓６が設置されている。混合水栓６にはシャワーホース７を介してシャワーヘッド８が接続されており、このシャワーヘッド８は、壁面４ａ設けられたシャワーフック９に掛止できるように構成されている。
【００１７】
壁面４ａの鏡５の上方であって天井４ｂから若干下がった位置には、本発明の一実施形態としての浴室照明装置１０が取付けられている。壁面４ａに浴室照明装置１０を取り付けた姿勢において、鉛直上方（天井４ｂ側）を浴室照明装置１０の上方と称し、鉛直下方（洗い場３側）を浴室照明装置１０の下方と称する。
【００１８】
図２は、本発明の一実施形態としての浴室照明装置の分解斜視図である。
図２において、紙面の上側が既述の定義における浴室照明装置１０の上方である。
図２の浴室照明装置１０は、概略的には、筐体１６と、筐体１６の前方端面１６aに取付けられたＬＥＤモジュール１３と、ＬＥＤモジュール１３の基板１１に締結された反射器１５と、ＬＥＤモジュール１３及び反射器１５を覆うカバー１７とを含んで構成される。
【００１９】
より詳細には、浴室照明装置１０は、基板１１と、基板１１上に配置された複数のＬＥＤチップ１２と、基板１１上に取り付けられ、複数のＬＥＤチップ１２のうちの少なくとも一のＬＥＤチップ（後述のＬＥＤチップ１２ａ及び１２ｂを含む一部のもの）の近傍に設けられて当該ＬＥＤチップからの出射光を浴室１の床方向（即ち、略、洗い場３の方向）に向けて反射させる複数の反射片１４を有する金属製の反射器１５を備えている。反射片１４は、後述する第１群の反射片１４１、第２群の反射片１４２、第３群の反射片１４３、及び、第４群の反射片１４４の如く、便宜上区分する。
反射器１５は金属製のネジ１５１ａ、１５１ｂによって基板１１に締結される。ネジ１５１ａ、１５１ｂに対応して、反射器１５にはネジ穴１５０ａ、１５０ｂが穿設され、基板１１にはネジ穴１１ａ、１１ｂ（図２では１１ｂは見えない）が穿設されている。
【００２０】
この実施形態では、基板１１に複数のＬＥＤチップ１２が配されてＬＥＤモジュール１３が構成されている。基板１１は樹脂製の円板であり、この基板１１が、概略円柱状の筐体１６の前方端面１６ａに取付けられる。
筐体１６の周面１６ｂは前方端面１６ａ側から後方に向けて若干大径となるテーパーをなしている。周面１６ｂの最後部である基部１６ｃは、段差部１６ｄをなして前側の部分よりも大径になされている。この基部１６ｃが、浴室１の壁面４ａに当接して取付けられる。
また、筐体１６の内部に、ＬＥＤチップ１２を点灯させる点灯回路が設けられる。
【００２１】
筐体１６の前方端面１６ａ側には、ＬＥＤモジュール１３及び反射器１５を覆うようにしてカバー１７が取付けられる。即ち、カバー１７は、図示しない適宜の係合手段等によって筐体１６の前方端面１６ａ側に着脱自在に取付けられる。本例におけるカバー１７は、図示のようにドーム状である。
一方、樹脂製の円板である基板１１における複数のＬＥＤチップ１２は、基板１１の中心Оの周りに想定した内周側環状領域１２１及び外周側環状領域１２２の各環状領域に、周方向に間隔を空けて配列される。換言すれば、複数のＬＥＤチップ１２は、基板１１の中心Оから放射方向に配列される。
【００２２】
図３は、図２の浴室照明装置の反射器の加工過程の姿を表す図である。この図３においても、紙面の上側が既述の定義における浴室照明装置１０の上方である。
図３の状態における反射器１５は、複数の反射片１４が反射器１５の素材であるステンレス等の金属板の主面に対して各所定の角度をなすように折り曲げられる以前の、平板状のものである。
【００２３】
図２及び図３を併せ参照して容易に理解される通り、複数の反射片１４は、反射器１５の素材である平板状金属板の各所定部を当該金属板の主面に対して一定の角度をなすようにそれぞれ折り曲げて成形される。
この平板状金属板は、図３の通り、下側の凹凸部分を結ぶ仮想曲線（二点鎖線にて図示）の部分を含み全体としての外形は正面視で概略円形をなしている。
【００２４】
本例における反射器１５は、図２を参照して既述のネジ穴１５０ａ、１５０ｂの各中心を結ぶ仮想線Ｄよりも上側の部分の外周縁が概略半円弧状をなしている。この概略半円弧状の外周縁の内側の部分を、便宜上、上部半円状部分１５Ｕと称する。
この上部半円状部分１５Ｕの周縁に沿う部分が、複数（図示の場合は５つ）の反射片１４をそれらの基部側で一連に結びつけるアウターブリッジ部１５ａをなしている。
図示の通り、アウターブリッジ部１５ａは、上に向けて凸状をなしている。
【００２５】
アウターブリッジ部１５ａにそれぞれ基部側で連なって一連に結びつけられた本例では５つの反射片１４を、便宜上、第１群の反射片１４１、１４１と称する。
第１群の反射片１４１、１４１がアウターブリッジ部１５ａに連なる部位には幅狭にくびれたネック部１４１ａ、１４１ａがそれぞれ形成されている。
図示のように、第１群の反射片１４１、１４１は、それらの基部側とは反対の先端側が、それぞれ、半円弧状のアウターブリッジ部１５ａから、上部半円状部分１５Ｕに重なる仮想円の中心１５ｖに向かって内側に延びている。これら第１群の反射片１４１、１４１の各先端側は上記仮想円の中心１５ｖに向かう中間位置で終端している。
【００２６】
第１群の反射片１４１、１４１の各先端側がそれぞれ終端している部位の上記仮想円の中心１５ｖ側に、アウターブリッジ部１５ａと概略同心で相対的に小径の半円弧状をなす上方インナーブリッジ部１５ｂが形成されている。図示の通り、上方インナーブリッジ部１５ｂも上に向けて凸状をなしている。
上方インナーブリッジ部１５ｂは複数（図示の場合は３つ）の反射片１４をそれらの基部側で一連に結びつけている。
上方インナーブリッジ部１５ｂにそれぞれ基部側で連なって一連に結びつけられた本例では３つの反射片１４を、便宜上、第２群の反射片１４２、１４２と称する。
第２群の反射片１４２、１４２が上方インナーブリッジ部１５ｂに連なる部位には幅狭にくびれたネック部１４２ａ、１４２ａがそれぞれ形成されている。
【００２７】
一方、ネジ穴１５０ａ、１５０ｂの各中心を結ぶ仮想線Ｄよりも下側で外周の各反射片先端側を結ぶ包絡線が概略半円弧状をなしている。この概略半円弧状の包絡線の内側の部分を、便宜上、下部半円状部分１５Ｌと称する。
下部半円状部分１５Ｌには、既述の上方インナーブリッジ部１５ｂと概略同心で略同径の半円弧状をなす下方インナーブリッジ部１５ｃが形成されている。図示の通り、下方インナーブリッジ部１５ｃは、下に向けて凸状をなしている。
【００２８】
下方インナーブリッジ部１５ｃは複数（図示の場合は５つ）の反射片１４をそれらの基部側で一連に結びつけている。
下方インナーブリッジ部１５ｃにそれぞれ基部側で連なって一連に結びつけられた本例では５つの反射片１４を、便宜上、第３群の反射片１４３、１４３と称する。
第３群の反射片１４３、１４３が下方インナーブリッジ部１５ｃに連なる部位には幅狭にくびれたネック部１４３ａ、１４３ａがそれぞれ形成されている。
【００２９】
図示のように、第３群の反射片１４３、１４３は、それらの基部側とは反対の先端側が、それぞれ、半円弧状の下方インナーブリッジ部１５ｃから放射状に外側に延びている。これら第３群の反射片１４３、１４３の各先端側は下部半円状部分１５Ｌの周縁で終端している。
下部半円状部分１５Ｌの、ネジ穴１５０ａ、１５０ｂの各中心を結ぶ仮想線Ｄよりも若干下側に、下方インナーブリッジ部１５ｃと概略同心で相対的に小径の概ね半円弧状をなすセンターブリッジ部１５ｄが形成されている。図示の通り、センターブリッジ部１５ｄも概ね下に向けて凸状をなしている。
【００３０】
センターブリッジ部１５ｄは複数（図示の場合は３つ）の反射片１４をそれらの基部側で一連に結びつけている。
センターブリッジ部１５ｄにそれぞれ基部側で連なって一連に結びつけられた本例では３つの反射片１４を、便宜上、第４群の反射片１４４、１４４と称する。
第４群の反射片１４４、１４４がセンターブリッジ部１５ｄに連なる部位には幅狭にくびれたネック部１４４ａ、１４４ａがそれぞれ形成されている。
【００３１】
本実施形態では、全ての反射片について、それらの表裏両面が反射面を構成しているが、上述の第１群の反射片１４１、１４１、第２群の反射片１４２、１４２、第３群の反射片１４３、１４３、及び、第４群の反射片１４４、１４４のうち、少なくとも、第２群の反射片１４２、１４２と第３群の反射片１４３、１４３について、それらの表裏両面が反射面を構成していれば機能上支障はない。
【００３２】
図４は図２の浴室照明装置における基板に反射器を取付けた状態を表す図である。
特に図４では、基板１１上の各ＬＥＤチップ１２と反射器１５の各反射片１４との位置関係が明らかになる正面視での状態を表している。
図４において、既述の図２及び図３との対応部は同一の符号を附してある。
図４の状態における反射器１５は、複数の反射片１４が反射器１５の素材である金属板の主面に対して各所定の角度をなすように折り曲げられ、浴室照明装置１０の一つの部品として完成した形のものである。
【００３３】
基板１１に複数配されたＬＥＤチップ１２のうち、基板１１の上半分の外周側環状領域１２２に配された５つのＬＥＤチップ１２については、図３を参照して既述の第１群の５つの反射片１４１、１４１がそれぞれ対応している。
【００３４】
一方、基板１１の上半分の内周側環状領域１２１に配された５つのＬＥＤチップ１２については、それらの円弧状の配列における奇数番目の３つのものについて、図３を参照して既述の第２群の３つの反射片１４２、１４２がそれぞれ対応している。即ち上半分の内周側環状領域１２１に配された５つのＬＥＤチップ１２のうち、上記奇数番目の３つのもの以外（即ち、それらの円弧状の配列における偶数番目）の２個のＬＥＤチップ１２については、対応する反射片が設けられていない。
【００３５】
また、基板１１の下半分の外周側環状領域１２２に配された５つのＬＥＤチップ１２については、図３を参照して既述の第３群の５つの反射片１４３、１４３がそれぞれ対応している。
【００３６】
一方、基板１１の下半分の内周側環状領域１２１に配された５つのＬＥＤチップ１２については、それらの円弧状の配列における奇数番目の３つのものについて、図３を参照して既述の第４群の３つの反射片１４４、１４４がそれぞれ対応している。即ち下半分の内周側環状領域１２１に配された５つのＬＥＤチップ１２のうち、上記奇数番目の３つのもの以外（即ち、それらの円弧状の配列における偶数番目）の２個のＬＥＤチップ１２については、対応する反射片が設けられていない。
【００３７】
図３を参照して既述のように、第１群の反射片１４１、１４１、第２群の反射片１４２、１４２、第３群の反射片１４３、１４３、及び、第４群の反射片１４４、１４４のうち、少なくとも、第２群の反射片１４２、１４２と第３群の反射片１４３、１４３とは、それらの表裏両面が反射面を構成している。
【００３８】
この結果、基板１１の上半分の外周側環状領域１２２に配された５つのＬＥＤチップ１２のうち、それらの円弧状の配列における奇数番目の３つのもの（１２ａ、１２ａ、１２ａ）については、それらの上側（上記仮想円の中心１５ｖからの半径方向外側）に対応して既述のように第１群の反射片１４１、１４１が配置されているのみならず、それらの下側（上記仮想円の中心１５ｖからの半径方向内側）に対応して第２群の反射片１４２、１４２が配置されていることになる。
【００３９】
同様に基板１１の下半分の内周側環状領域１２１に配された５つのＬＥＤチップ１２のうち、それらの円弧状の配列における奇数番目の３つのもの（１２ｂ、１２ｂ、１２ｂ）については、それらの上側（上記仮想円の中心１５ｖからの半径方向内側）に対応して既述のように第４群の反射片１４４、１４４が配置されているのみならず、それらの下側（上記仮想円の中心１５ｖからの半径方向外側）に対応して第３群の反射片１４３、１４３が配置されていることになる。
【００４０】
これを反射器１５の形態に着目して換言すれば、反射器１５は、ＬＥＤチップ１２のうち少なくとも該当する特定の一部のＬＥＤであるＬＥＤチップ１２ａ、１２ａ、１２ａ、及び、１２ｂ、１２ｂ、１２ｂの、上方及び下方に位置して当該ＬＥＤからの出射光を反射させる上方反射片及び下方反射片を有する。
即ち、ＬＥＤチップ１２ａ、１２ａ、１２ａに対応して、上方反射片には、第１群の反射片１４１、１４１が該当し、下方反射片には、第２群の反射片１４２、１４２が該当する。
また、ＬＥＤチップ１２ｂ、１２ｂ、１２ｂに対応して、上方反射片には、第４群の反射片１４４、１４４が該当し、下方反射片には、第３群の反射片１４３、１４３が該当する。
また、上述のように、ＬＥＤモジュール１３の基板１１上の複数のＬＥＤチップ１２のうちには、基板１１の上半分の内周側環状領域１２１に円弧状に配列された偶数番目のＬＥＤチップ１２、及び、基板１１の下半分の内周側環状領域１２１に円弧状に配列された偶数番目のＬＥＤチップ１２のように、対応する反射片が設けられていないＬＥＤチップ１２が含まれることになる。
【００４１】
次に、図１乃至図４に、図５乃至図７を併せ参照して、本発明の実施形態としての浴室照明装置の作用効果について説明する。
図５は、図４の反射器における反射片の作用を説明するための概念図である。
図５の、（Ａ）部は、反射器（反射片）を設けない場合のＬＥＤの配光を表し、（Ｂ）部は反射器１５（反射片１４）を設けた場合のＬＥＤチップ１２の配光を表している。
図５の（Ｂ）部では特に、既述の特定のＬＥＤ（１２ａ、１２ａ、１２ａ、及び、１２ｂ、１２ｂ、１２ｂ）のうち、上側中央に位置する一のものにより代表して、上方反射片及び下方反射片が配されている部分を表している。
一方、図６は、図２の浴室照明装置を適用した浴室の配光状況を表す図である。
【００４２】
反射器１５（反射片１４）を設けない場合には、図５の（Ａ）部に示された如く、ＬＥＤチップ１２からの出射光は、正面を主体的に照らすような配光となる。このため、図６の（Ａ）部に示された如く、浴室内で洗顔や洗体を行う洗い場３の浴室照明装置１０の直下の領域３ａが暗くなる。
反射器１５（反射片１４）を設けた場合には、図５の（Ｂ）部に示された如く、ＬＥＤチップ１２からの出射光は、そのうちの多くの部分が上方反射片である反射片１４の下面によって反射し下方に向かう。このため、図６の（Ｂ）部に示された如く、光線が浴室の床方向（浴室の洗い場側）を主体的に照らすような配光となり、上述の領域３ａが暗くなるといった問題が解消する。
【００４３】
図５の（Ｂ）部を参照して容易に理解される通り、上側のＬＥＤチップ１２から下方に向かう出射光の一部は、下方反射片である下側の反射片１４の上面で反射して、上方に向かう。このように上方に向かった一部の光線は、浴室１の天井４ｂを照射することになる。このため、浴室１内が天井４ｂからの反射光による穏やかな間接照明によって適度な明るさになる。
【００４４】
また、図４を参照して既述のように、基板１１上の一部のＬＥＤチップ１２については、対応する反射片が設けられていない。このため、これらの反射片が設けられていないＬＥＤチップ１２からの出射光は、正面側を主体的に照らすような配光となる。このため、反射器１５（反射片１４）によって配光特性が大勢として下向きに変更されても、正面側の明るさも適度に確保されることになる。
【００４５】
上記を総じて、反射器１５（反射片１４）の作用によって、ＬＥＤチップ１２からの出射光による配光特性が変更されて、浴室の照明装置として理想的な配光特性が実現される。
また、このような理想的な配光特性を実現するために、従来におけるような浴室内への突出物（反射鏡）を設ける必要がなく、見栄えを損なうことがない。
更に、上方空間も適度に照度が確保されるため、極端に暗くならず、浴室の雰囲気や見栄えが損なわれることがない。
また、光学用の配光変更レンズのような高額の部品を必要としないため、徒にコストが嵩むことがなく、通常の浴室用途に適する。
【００４６】
また、図３を参照して詳述したように、反射器１５における各反射片１４にはそれらの基部が対応するブリッジ部（１５ａ、１５ｂ、１５ｃ、１５ｄ）に連なる部位に幅狭にくびれたネック部（１４１ａ、１４２ａ、１４３ａ、１４４ａ）が形成されている。
このため、反射器１５の素材である板状体の主面に対して各反射片１４をそれぞれ所定の角度をなすように折り曲げる加工を施すに際して、ネック部（１４１ａ、１４２ａ、１４３ａ、１４４ａ）である限定的な領域が容易に屈曲するため、反射面として機能する平面状であるべき主体的部分が無用に変形するおそれがない。従って、反射機能に関する十分な精度が確保され、且つ、コストが低廉である。
【００４７】
また、反射器１５は、複数の反射片１４がブリッジ部（１５ａ、１５ｂ、１５ｃ、１５ｄ）で連なった単体の部品として構成されるため、反射片１４を各別に扱う場合に比し、基板１１に取付ける作業が格段に簡素である。
【００４８】
更に、本例の反射器１５は、２本の金属製のネジ１５１ａ、１５１ｂによって基板１１に取付けることができるため、この取付けも極めて簡単で組立作業における効率が良い。
また一方、反射器１５は金属製であるため、ＬＥＤチップ１２の基板１１の熱を放熱させる作用がある。２本のネジ１５１ａ、１５１ｂが金属製であることも放熱に寄与する。この放熱作用について、次に、図７を参照して説明する。
【００４９】
図７は、図２の浴室照明装置における放熱作用を表す図である。即ち、図２におけるような反射器１５を取付けていない状態（左側）と、取付けた状態（右側）とで、基板１１上のＬＥＤチップ１２のジャンクション温度を比較した図である。
図７の（Ａ）部は、点灯開始後３０分経過した時点でのＬＥＤチップ１２のジャンクション温度を表している。反射器１５を取付けていない状態（左側）では、ジャンクション温度が摂氏４９．２度程度に上昇したが、これに対し、反射器１５を取付けた状態（右側）では、ジャンクション温度が摂氏４７．２度程度に留まった。
【００５０】
図７の（Ｂ）部は、点灯開始後６０分経過した時点でのＬＥＤチップ１２のジャンクション温度を表している。反射器１５を取付けていない状態（左側）では、ジャンクション温度が摂氏７９．２度程度に上昇したが、これに対し、反射器１５を取付けた状態（右側）では、ジャンクション温度が摂氏７７．２度程度に留まった。
【００５１】
図７の（Ｃ）部は、点灯開始後１２０分経過した時点でのＬＥＤチップ１２のジャンクション温度を表している。反射器１５を取付けていない状態（左側）では、ジャンクション温度が摂氏８７．５度まで上昇したが、これに対し、反射器１５を取付けた状態（右側）では、ジャンクション温度が摂氏８７．０度程度に留まった。
【００５２】
一般に、ＬＥＤはジャンクション温度が０．１度程度変化しても発光効率に影響があるため、図７の（Ａ）部から（Ｃ）部に表されている特性は、本実施形態における放熱作用によって発光効率向上の効果が大きいことを意味している。
【００５３】
尚、本発明は上記実施形態に限定されるものではなく、本発明の目的を達成できる範囲での変形変更等は本発明に含まれる。
上記実施形態では、金属製の反射器としてステンレス製のものを用いたがこれに限定されず、また、反射片として反射器の素材である平板状金属板の各所定部を当該金属板の主面に対して一定の角度をなすように折り曲げて成形したものを適用したがこれに限定されない。
また、反射片はネック部を設けることによって折り曲げ加工を容易にしたが、ネック部に替えて、又は、ネック部と共に折り線を設けるようにしてもい。
更に、複数のＬＥＤチップは、基板の中心から放射方向に配列されたが、マトリクス状の配列を採ってもよい。この場合、反射器はこの配列に適合した形状のものにすべきことは言うまでもない。
【符号の説明】
【００５４】
１…浴室
３…洗い場（床）
４ａ…壁面
１０…浴室照明装置
１１…基板
１２…ＬＥＤ
１２ａ、１２ｂ…特定の一部のＬＥＤ
１４…反射片
１５…反射器
１５１ａ、１５１ｂ…ネジ
１４１…第１群の反射片（上方反射片）
１４２…第２群の反射片（下方反射片）
１４３…第３群の反射片（下方反射片）
１４４…第４群の反射片（上方反射片）
【図１】
0006534534.tif 000002
【図２】
0006534534.tif 000003
【図３】
0006534534.tif 000004
【図４】
0006534534.tif 000005
【図５】
0006534534.tif 000006
【図６】
0006534534.tif 000007
【図７】
0006534534.tif 000008